(57)【要約】【課題】ノートＰＣなどの電子機器のバッテリ電源による駆動時の動作可能時間を、通信にかかる処理を維持した上で延長する。【解決手段】電源スイッチ６が押下されると、ＰＣシステム電源回路２３は、駆動電力を各デバイスへ供給する。ＰＣシステム電源回路２３がＡＣ電源からの電力を得ており、かつ、ＰｏＥ電源回路３０が、外部からの電力を得ている場合には、制御回路２２がＰｏＥ電源回路３０との接続を行なうことで、ＬＡＮチップ回路２１に供給する駆動電力を、ＰＣシステム電源回路２３からの駆動電力から、ＰｏＥ電源回路３０からの駆動電力に切り換える。【選択図】      図２
2006155372.tif 000002
【特許請求の範囲】
【請求項１】
駆動電力が供給されることにより動作するデバイスを有する本体と、
外部機器と接続する接続手段と、
この接続手段を介して外部との間で通信を行なう通信制御手段と、
前記通信制御手段及び前記デバイスに外部電源またはバッテリ電源から得た電力を供給する第１の電源回路と、
前記通信制御手段に前記外部機器から前記接続手段を介して供給された電力を供給する第２の電源回路と、
前記第１の電源回路が前記外部電源からの電力を得ている場合には、前記第１の電源回路が前記通信制御手段に駆動電力を供給するようにし、前記第１の電源回路が前記外部電源からの電力を得ていない場合には、前記第２の電源回路が前記通信制御手段に駆動電力を供給するようにする電力供給切換手段と
を備えたことを特徴とする電子機器。
【請求項２】
前記通信制御手段に供給する駆動電力種別の切換を停止するモードを設定するモード設定手段をさらに備え、
前記電力供給切換手段は、
前記モード設定手段による設定がなされた場合には、前記第１の電源回路が前記外部電源からの電力を得ているか否かに関わらず、前記第１の電源回路が前記通信制御手段に駆動電力を供給するようにする
ことを特徴とする請求項１に記載の電子機器。
【請求項３】
駆動電力が供給されることにより動作するデバイスを有する本体と、
外部と接続する接続手段と、
この接続手段を介して外部との間で通信を行なう通信制御手段と、
前記通信制御手段および前記デバイスに外部電源またはバッテリ電源から得た電力を供給する第１の電源回路と、
前記通信制御手段に外部から前記接続手段を介して供給された電力を供給する第２の電源回路と、
前記通信制御手段が、前記本体の動作状態が起動状態でない予め定められた状態にある場合において動作する機能を有効とするか否かを設定する設定手段と、
前記設定手段により有効の設定がなされていない場合、または、前記設定手段により有効の設定がなされており、かつ、前記第１の電源回路が前記外部電源からの電力を得ている場合には、第１の電源回路が前記通信制御手段に駆動電力を供給するようにし、前記設定手段により有効の設定がなされており、かつ、前記第１の電源回路が前記外部電源からの電力を得ていない場合には、前記第２の電源回路が前記通信制御手段に駆動電力を供給するようにする電力供給切換手段と
を備えたことを特徴とする電子機器。
【請求項４】
前記設定手段により有効とするか否かを設定する機能は、前記本体の動作状態が起動状態でない予め定められた状態にある場合に、前記接続手段を介した外部からの指示にしたがって、前記本体の動作状態を起動状態に遷移させる機能であることを特徴とする請求項３に記載の電子機器。
【請求項５】
前記本体の動作状態を判別する判別手段をさらに備え、
前記電力供給切換手段は、
前記設定手段により有効の設定がなされており、前記第１の電源回路が前記外部電源からの電力を得ておらず、かつ、前記判別手段により判別された動作状態が起動状態でない予め定められた状態でない場合には、前記第１の電源回路が前記通信制御手段に駆動電力を供給するようにし、前記設定手段により有効の設定がなされており、前記第１の電源回路が前記外部電源からの電力を得ておらず、かつ、前記判別手段により判別された動作状態が前記予め定められた状態である場合には、前記第２の電源回路が前記通信制御手段に駆動電力を供給するようにする
ことを特徴とする請求項３に記載の電子機器。
【請求項６】
駆動電力が供給されることにより動作するデバイスを有する本体と、外部機器と接続する接続手段と、この接続手段を介して外部との間で通信を行なう通信制御手段と、前記通信制御手段及び前記デバイスに外部電源またはバッテリ電源から得た電力を供給する第１の電源回路と、前記通信制御手段に前記外部機器から前記接続手段を介して供給された電力を供給する第２の電源回路とを備えた電子機器の電源制御を行なう電源制御方法において、
前記第１の電源回路が前記外部電源からの電力を得ている場合には、前記第１の電源回路が前記通信制御手段に駆動電力を供給するようにし、前記第１の電源回路が前記外部電源からの電力を得ていない場合には、前記第２の電源回路が前記通信制御手段に駆動電力を供給するようにする電力供給切換ステップを有することを特徴とする電源制御方法。
【請求項７】
前記通信制御手段に供給する駆動電力種別の切換を停止するモードを設定するモード設定ステップをさらに有し、
前記電力供給切換ステップは、
前記モード設定ステップによる設定がなされた場合には、前記第１の電源回路が前記外部電源からの電力を得ているか否かに関わらず、前記第１の電源回路が前記通信制御手段に駆動電力を供給するようにする
ことを特徴とする請求項６に記載の電源制御方法。
【請求項８】
駆動電力が供給されることにより動作するデバイスを有する本体と、外部と接続する接続手段と、この接続手段を介して外部との間で通信を行なう通信制御手段と、前記通信制御手段および前記デバイスに外部電源またはバッテリ電源から得た電力を供給する第１の電源回路と、前記通信制御手段に外部から前記接続手段を介して供給された電力を供給する第２の電源回路とを備えた電子機器の電源制御を行なう電源制御方法において、
前記通信制御手段が、前記本体の動作状態が起動状態でない予め定められた状態にある場合において動作する機能を有効とするか否かを設定する設定ステップと、
前記設定ステップにより有効の設定がなされていない場合、または、前記設定ステップにより有効の設定がなされており、かつ、前記第１の電源回路が前記外部電源からの電力を得ている場合には、第１の電源回路が前記通信制御手段に駆動電力を供給するようにし、前記設定ステップにより有効の設定がなされており、かつ、前記第１の電源回路が前記外部電源からの電力を得ていない場合には、前記第２の電源回路が前記通信制御手段に駆動電力を供給するようにする電力供給切換ステップと
を有することを特徴とする電源制御方法。
【請求項９】
前記設定ステップにより有効とするか否かを設定する機能は、前記本体の動作状態が起動状態でない予め定められた状態にある場合に、前記接続手段を介した外部からの指示にしたがって、前記本体の動作状態を起動状態に遷移させる機能であることを特徴とする請求項８に記載の電源制御方法。
【請求項１０】
前記本体の動作状態を判別する判別ステップをさらに有し、
前記電力供給切換ステップは、
前記設定ステップにより有効の設定がなされており、前記第１の電源回路が前記外部電源からの電力を得ておらず、かつ、前記判別ステップにより判別された動作状態が起動状態でない予め定められた状態でない場合には、前記第１の電源回路が前記通信制御手段に駆動電力を供給するようにし、前記設定ステップにより有効の設定がなされており、前記第１の電源回路が前記外部電源からの電力を得ておらず、かつ、前記判別ステップにより判別された動作状態が前記予め定められた状態である場合には、前記第２の電源回路が前記通信制御手段に駆動電力を供給するようにする
ことを特徴とする請求項８に記載の電源制御方法。
【発明の詳細な説明】
【技術分野】
【０００１】
本発明は、例えばノート型パーソナルコンピュータなどの、バッテリ駆動による動作が可能な電子機器および電源制御方法に関する。
【背景技術】
【０００２】
現在の、バッテリ駆動により動作可能な電子機器のうち、例えばノート型パーソナルコンピュータ（ノートＰＣ）などの、駆動電力を多く消費する機器における、バッテリ駆動時の動作可能時間は必要十分であるとはいえない。特に、外部との間で通信を行なう場合には、通信用の制御回路の継続的な動作が必要になるので、電力の消費量が多くなってしまう。
【０００３】
バッテリ電源や外部電源の他の駆動電力を得る手法としては、電力供給可能な外部機器の間と接続した通信用ケーブルを介して駆動電力を得るものがある（例えば特許文献１参照）。
【特許文献１】特開２００４−１３３７３７号公報
【発明の開示】
【発明が解決しようとする課題】
【０００４】
前述した特許文献１に開示されたような手法では、通信用ケーブルを介して外部機器から電力を得ているが、これは、通常の電力供給に不具合が生じた場合に、機器の動作の保護を目的として電力を得るものであり、バッテリ駆動時の動作可能時間を多くするものではなかった。
【０００５】
そこで、本発明の目的は、通信にかかる処理を維持した上でバッテリ電源による駆動時の動作可能時間を延長することが可能になる電子機器および電源制御方法を提供することにある。
【課題を解決するための手段】
【０００６】
すなわち、本発明に係わる電子機器は、駆動電力が供給されることにより動作するデバイスを有する本体と、外部機器と接続する接続手段と、接続手段を介して外部との間で通信を行なう通信制御手段と、通信制御手段及びデバイスに外部電源またはバッテリ電源から得た電力を供給する第１の電源回路と、接続手段を介して外部との間で通信を行なう通信制御手段と、通信制御手段に外部機器から接続手段を介して供給された電力を供給する第２の電源回路と、第１の電源回路が外部電源からの電力を得ている場合には、この第１の電源回路が通信制御手段に駆動電力を供給するようにし、第１の電源回路が外部電源からの電力を得ていない場合には、第２の電源回路が通信制御手段に駆動電力を供給するようにすることを特徴とする。
【発明の効果】
【０００７】
本発明に係わる電子機器では、駆動電力が供給されることにより動作するデバイスを有する本体と、外部機器と接続する接続手段と、接続手段を介して外部との間で通信を行なう通信制御手段と、通信制御手段及びデバイスに外部電源またはバッテリ電源から得た電力を供給する第１の電源回路と、接続手段を介して外部との間で通信を行なう通信制御手段と、通信制御手段に外部機器から接続手段を介して供給された電力を供給する第２の電源回路とを備え、第１の電源回路が外部電源からの電力を得ている場合には、この第１の電源回路が通信制御手段に駆動電力を供給するようにし、第１の電源回路が外部電源からの電力を得ていない場合には、第２の電源回路が通信制御手段に駆動電力を供給するようにするので、通信にかかる処理を維持した上でバッテリ電源による駆動時の動作可能時間を延長することができる。
【発明を実施するための最良の形態】
【０００８】
以下、本発明をノート型パーソナルコンピュータ（以下、ノートＰＣと称する）に適用した場合の実施形態について図面を参照して説明する。  
（第１の実施形態）
まず、本発明の第１の実施形態について説明する。  
図１は、本発明の第１の実施形態にしたがったノートＰＣの外観の一例を示す図である。  
図１に示したように、本発明の第１の実施形態にしたがったノートＰＣは、本体ケース１、表示部ケース２およびヒンジ部３を有する。本体ケース１の上面１ａには、ユーザが入力操作を行なうためのキーボード４が設けられる。
【０００９】
表示部ケース２は、表示デバイスであるＬＣＤ（Ｌｉｑｕｉｄ  Ｃｒｙｓｔａｌ  Ｄｉｓｐｌａｙ：液晶ディスプレイ）５の周辺部を内側から可視可能に支持しており、このことによりＬＣＤ５はその表示面が可視可能に設けられている。
【００１０】
ヒンジ部３は、本体ケース１と表示部ケース２を接続する。ヒンジ部３は、表示部ケース２を、回動軸（図示せず）を中心に、閉状態と開状態との間で回動可能に支持する。閉状態とは、表示部ケース２がキーボード４を覆う状態である。開状態とは、キーボード４が、ユーザにより使用可能な状態に露出する状態である。
【００１１】
また、本体ケース１の側面１ｂには電源スイッチ６が設けられる。電源スイッチ６は、ノートＰＣのシステム状態（動作状態）を、ＯＳ（オペレーティングシステム）が起動している状態（以下、起動状態と称する）、およびＯＳが終了した状態（以下、シャットダウン状態と称する）の間で切り換える指示を行なうデバイスである。  
図２は、本発明の第１の実施形態にしたがったノートＰＣの内部回路の構成例を示すブロック図である。  
図２では、ノートＰＣの内部回路において、本発明に関連する部分の構成のみについて図示する。ノートＰＣには、該ノートＰＣ全体の制御を司るＣＰＵ１１が設けられる。ＣＰＵ１１はチップセット１２と接続される。
【００１２】
チップセット１２は、ＣＰＵ１１との間のデータ及びアドレス変換などの処理を実行する機能や、デバイス間でデータの入出力処理などを実行する機能を有する。また、チップセット１２は、ＣＰＵ１１が動作した時のワークエリアとなるメインメモリ１３と接続され、また、ＬＣＤ５、キーボード４、電源スイッチ６、ＢＩＯＳ−ＲＯＭ１４およびＨＤＤ（ハードディスクドライブ）１５と接続される。
【００１３】
ＢＩＯＳ−ＲＯＭ１４には、ノートＰＣの基本入出力制御および電源状態の管理を行なうためのプログラムが記憶される。また、ＢＩＯＳ−ＲＯＭ１４には、電源スイッチ６が押下され、かつ所定の条件を満たしたときにノートＰＣの各デバイス、例えばＣＰＵ１１、ＬＣＤ５、メインメモリ１３、ＨＤＤ１５などへの各デバイスへの駆動電力の供給を行なう処理（以下、電源制御処理と称す）に係る制御処理用プログラムが記憶される。
【００１４】
また、ＨＤＤ１５は不揮発性の記憶媒体であり、ノートＰＣの電源が投入されていない状態でもデータを記憶可能なデバイスである。このＨＤＤ１５には、ＯＳおよびアプリケーションプログラムなどが記憶され、これらのプログラムを実行する際は、当該プログラムは適宜メインメモリ１３に展開される。
【００１５】
チップセット１２は、電源スイッチ６が押下された場合に、これを検出する。チップセット１２は、電源スイッチ６の押下を検出すると、ノートＰＣの現在のシステム状態を判別して、該システム状態を起動状態、およびシャットダウン状態の間で遷移させる。例えば、電源スイッチ６の押下を検出したときのシステム状態がシャットダウン状態である場合には、チップセット１２はノートＰＣのシステム状態を起動状態に遷移させる、つまり、ノートＰＣの各デバイスに駆動電力が供給されるよう制御する。
【００１６】
また、チップセット１２は、ＬＡＮ（ローカルエリアネットワーク）チップ回路２１および制御回路２２と接続される。制御回路２２は、ＬＡＮチップ回路２１およびＰＣシステム電源回路２３と接続される。ＰＣシステム電源回路２３は、電源コード２４を介して電源プラグ２５と接続される。ＰＣシステム電源回路２３は、電源プラグ２５および電源コード２４を介して外部電源（ＡＣ電源）からの電力を得られている場合には、電圧変換を経て、ＣＰＵ１１やＬＡＮチップ回路２１などの各デバイスへ必要な駆動電力を供給する。
【００１７】
また、ＰＣシステム電源回路２３はバッテリ２６と接続される。ＰＣシステム電源回路２３は、外部電源（ＡＣ電源）からの電力が得られない場合には、バッテリ２６から電力を得た上で、電圧変換を経て、各デバイスが必要な駆動電力を制御回路２２に供給する。
【００１８】
ＬＡＮチップ回路２１は、トランス２７を介してＬＡＮコネクタ２８と接続される。ＬＡＮコネクタ２８はＬＡＮケーブル２９を接続可能なコネクタである。ＬＡＮチップ回路２１は、ＬＡＮコネクタ２８にＬＡＮケーブル２９が接続された状態では、外部との間で、トランス２７、ＬＡＮコネクタ２８、および、ＬＡＮケーブル２９を介したデータの送受信を行なうことができる。
【００１９】
ＬＡＮコネクタ２８はＰｏＥ電源回路３０と接続される。ＰｏＥ電源回路３０は、電力線３１，制御信号線３２をそれぞれ介して制御回路２２と接続される。ＬＡＮケーブル２９を介してＬＡＮコネクタ２８と接続された外部機器が、ＬＡＮケーブル２９経由によるノートＰＣに対する電力供給を行なえる機器、つまり、ＰｏＥ（Ｐｏｗｅｒ  ｏｖｅｒ  Ｅｔｈｅｒｎｅｔ（登録商標））に対応した機器（ＰｏＥ電源供給機器）である場合には、この機器から、ＬＡＮケーブル２９およびＬＡＮコネクタ２８を介してＰｏＥ電源回路３０に電力が供給される。
【００２０】
ＰｏＥ電源回路３０は、前述した外部機器からの電力を得た場合には、電圧変換を経て、電力線３１を介して、ＬＡＮチップ回路２１が必要な駆動電力を制御回路２２に供給する。
【００２１】
制御回路２２は、電力線３１を介したＰｏＥ電源回路３０との接続のスイッチング機能を有する。制御回路２２は、電力線３１を介したＰｏＥ電源回路３０との接続を行なっていない場合には、ＰＣシステム電源回路２３から供給された駆動電力を、ＬＡＮチップ回路２１を含む、駆動電力を必要とする各デバイスに供給する。
【００２２】
制御回路２２が、電力線３１を介したＰｏＥ電源回路３０との接続を行なっている状態で、かつ、ＰｏＥ電源回路３０が外部機器からの電力を得ている状態にある場合には、ＬＡＮチップ回路２１に対して供給される電力はＰｏＥ電源回路３０からの駆動電力となり、ＰＣシステム電源回路２３からの駆動電力は、ＬＡＮチップ回路２１以外の各デバイスへは供給されるが、ＬＡＮチップ回路２１に対しては供給されない。
【００２３】
また、制御回路２２が、電力線３１を介したＰｏＥ電源回路３０との接続を行なっている状態にあって、かつ、ＰｏＥ電源回路３０が外部機器からの電力を得ていない状態にある場合には、ＬＡＮチップ回路２１に対して駆動電力は供給されない。
【００２４】
次に、図１に示した構成のノートＰＣの電源制御処理について説明する。  
図３は、本発明の第１の実施形態にしたがったノートＰＣが実行する電源制御処理の内容の一例を示すフローチャートである。  
図４は、本発明の第１の実施形態にしたがったノートＰＣが電源制御処理を行なった際の制御回路２２とＰｏＥ電源回路３０との電力線３１を介した接続の有無、および、ＬＡＮチップ回路２１への電力供給の有無を表にして示す図である。
【００２５】
図４で示したＬＡＮチップ回路への電力供給の説明における、「あり（ＡＣ）」は、ＡＣ電源からの電力がＬＡＮチップ回路２１に供給されることを示し、「あり（外部機器）」とは、ＬＡＮケーブル２９を介してＬＡＮコネクタ２８と接続された外部機器からの電力がＬＡＮチップ回路２１に供給されることを示し、「あり（バッテリ）」とは、バッテリ２６からの電力がＬＡＮチップ回路２１に供給されることを示す。
【００２６】
電源制御処理を実行するにあたり、ノートＰＣのシステム状態はシャットダウン状態にあり、ＰＣシステム電源回路２３は、ＡＣ電源からの電力を得ることが出来ない場合に、バッテリ２６からの電力を得ることができると仮定する。
【００２７】
まず、電源スイッチ６が押下されると、これをチップセット１２が検出する。すると、チップセット１２は、制御回路２２を介して、ＰＣシステム電源回路２３に対し、当該ＰＣシステム電源回路２３による、ＬＡＮチップ回路２１を含む各デバイスへの駆動電力の供給を指示する。これによりＯＳおよび各種アプリケーションプログラムが起動する（ステップＡ１）。
【００２８】
そして、ＰＣシステム電源回路２３は、ＡＣ電源からの電力の供給の有無を示す信号である切換信号を制御回路２２に出力する。具体的には、ＰＣシステム電源回路２３は、電源プラグ２５および電源コード２４を介してＡＣ電源からの電力を得ている場合には、切換信号“ＡＣ”を制御回路２２に出力する。また、ＰＣシステム電源回路２３は、ＡＣ電源からの電力を得ておらず、かつ、バッテリ２６からの電力を得ている場合には、切換信号“ＢＡＴ（ｂａｔｔｅｒｙ）”を制御回路２２に出力する。
【００２９】
また、ＰｏＥ電源回路３０は、外部機器からＬＡＮケーブル２９およびＬＡＮコネクタ２８を介して電力を得ている場合、これを示す信号であるＰｏＥ−ＯＮ信号を、制御信号線３２を介して制御回路２２に出力する。また、ＰｏＥ電源回路３０は、外部機器からの電力を得ていない場合にはＰｏＥ−ＯＮ信号を出力しない。
【００３０】
制御回路２２は、ＰＣシステム電源回路２３からの切換信号の種別を判別することで、ＰＣシステム電源回路２３がＡＣ電源からの電力を得ているか否かを判別する（ステップＡ２）。
【００３１】
制御回路２２は、ＰＣシステム電源回路２３から入力した切換信号が切換信号“ＢＡＴ”であると判別した（ステップＡ２のＮＯ）場合、ＰｏＥ電源回路３０からのＰｏＥ−ＯＮ信号を入力しているか否かを判別する（ステップＡ３）。
【００３２】
制御回路２２は、ステップＡ３の処理の結果、ＰｏＥ電源回路３０からＰｏＥ−ＯＮ信号を入力していると判別した場合（ステップＡ３のＹＥＳ）には、電力線３１を介したＰｏＥ電源回路３０との接続を行なうことで、ＬＡＮチップ回路２１に供給する駆動電力を、ＰＣシステム電源回路２３からの駆動電力から、ＰｏＥ電源回路３０からの駆動電力に切り換える（ステップＡ４）。
【００３３】
このような処理を行なうことで、バッテリ駆動時には、ＬＡＮチップ回路２１に供給される駆動電力はＰｏＥ電源回路３０から供給される駆動電力となり、バッテリ２６から得た電力はＬＡＮチップ回路２１に供給されなくなるので、ノートＰＣの動作を保持した上で、バッテリ駆動時の動作可能時間を延長することができる。
【００３４】
ここでは、制御回路２２は、電源が投入された際に、ＬＡＮチップ回路２１に対し、ＰＣシステム電源回路２３からの駆動電力を一旦供給した上で、ＰＣシステム電源回路２３から切換信号“ＢＡＴ”を入力した状態で、かつ、ＰｏＥ電源回路３０からＰｏＥ−ＯＮ信号を入力した場合に、ＬＡＮチップ回路２１に供給する駆動電力を、ＰＣシステム電源回路２３からの駆動電力から、ＰｏＥ電源回路３０からの駆動電力に切り換える形態としたが、電源投入当初から制御回路２２がＰＣシステム電源回路２３から切換信号“ＢＡＴ”を入力しており、かつ、ＰｏＥ電源回路３０からＰｏＥ−ＯＮ信号を入力している場合には、ＬＡＮチップ回路２１に対し、ＰＣシステム電源回路２３からの駆動電力の供給を行なうことなく、ＰｏＥ電源回路３０からの駆動電力を供給する形態としてもよい。
【００３５】
ＬＡＮチップ回路２１は、ＬＡＮケーブル２９を介してＬＡＮコネクタ２８と接続された外部機器との間でデータ通信が確立されているか否かを判別し、この結果、データ通信が確立されていると判別した場合には、これを示すＬＩＮＫ信号を制御回路２２に出力する。
【００３６】
前述したデータ通信の対象の機器は、ノートＰＣに対する電力を供給する機能を有するものであってもよいし、データ通信の対象の機器、および、ノートＰＣに対する電力を供給する機能を有する機器は別の機器であってもよい。
【００３７】
具体的には、まず制御回路２２は、ＰＣシステム電源回路２３からの切換信号“ＢＡＴ”を入力している（ステップＡ２のＮＯ）が、ＰｏＥ電源回路３０からのＰｏＥ−ＯＮ信号を入力していない場合（ステップＡ３のＮＯ）には、ＬＡＮチップ回路２１からのＬＩＮＫ信号を入力しているか否かを判別する（ステップＡ５）。
【００３８】
そして、ステップＡ５の処理の結果、「ＹＥＳ」と判別された場合には、ＰｏＥ電源回路３０が外部機器からの電力を得ていない一方で、ＬＡＮチップ回路２１と外部機器との間のデータ通信が確立されていることを意味するので、制御回路２２は、電力線３１を介したＰｏＥ電源回路３０との接続を行なわない。この結果、ＬＡＮチップ回路２１には、ＰＣシステム電源回路２３からの駆動電力が引き続き供給される（ステップＡ５→Ａ２）。
【００３９】
一方、ステップＡ５の処理の結果、「ＮＯ」と判別された、つまり、ＰｏＥ電源回路３０が外部機器からの電力を得ていない状態で、かつ、前述したデータ通信が確立されていない状態にある場合には、制御回路２２は、電力線３１を介したＰｏＥ電源回路３０との接続を行なう（ステップＡ５→Ａ４）。この結果、ＰｏＥ電源回路３０が外部からの電力を得ていない状態で、かつ、ＰＣシステム電源回路２３から得た駆動電力がＬＡＮチップ回路２１に供給されない状態となるので、当該ＬＡＮチップ回路２１には駆動電力は供給されなくなる。
【００４０】
ステップＡ４の処理後、制御回路２２は、ＰＣシステム電源回路２３からの切換信号の種別を再度判別する（ステップＡ６）。このステップＡ６の処理の結果、切換信号“ＡＣ”を入力した、つまり、ＰＣシステム電源回路２３がＡＣ電源からの電力を得ていると判別された場合（ステップＡ６のＹＥＳ）には、制御回路２２は、電力線３１を介したＰｏＥ電源回路３０との接続を中止する（ステップＡ６→Ａ７）。この結果、ＬＡＮチップ回路２１には、ＰＣシステム電源回路２３がＡＣ電源経由で得た駆動電力が再び供給されるようになる。
【００４１】
ステップＡ６の処理の結果、ＰＣシステム電源回路２３から切換信号“ＢＡＴ”を入力した場合（ステップＡ６のＮＯ）には、制御回路２２は、ＰｏＥ電源回路３０との電力線３１を介した接続を保つ。
【００４２】
ここで、ステップＡ４の処理が、ステップＡ５の処理を介さずになされた処理である場合、つまり、ＬＡＮケーブル２９と接続される外部機器がＰｏＥに対応している場合には、このステップＡ４の処理後に、ＬＡＮコネクタ２８からＬＡＮケーブル２９を取り外すと、ＰｏＥ電源回路３０への電力供給が停止するので、ＬＡＮチップ回路２１への駆動電力の供給も停止する。
【００４３】
この取り外したＬＡＮケーブル２９をＬＡＮコネクタ２８に再び接続した場合には、ＰｏＥ電源回路３０に電力が再び供給される。この状態では、前述したステップＡ４の処理により制御回路２２とＰｏＥ電源回路３０との電力線３１を介した接続がなされているので、ＰｏＥ電源回路３０経由によるＬＡＮチップ回路２１への駆動電力の供給が再開する。
【００４４】
しかし、ステップＡ４の処理が、ステップＡ５の処理を介してなされた処理である場合、つまり、ＬＡＮケーブル２９と接続される外部機器がＰｏＥに対応していない場合には、このステップＡ４の処理後に、ＬＡＮケーブル２９がＬＡＮコネクタ２８と接続されていない状態から接続された状態に遷移しても、ＰｏＥ電源回路３０に駆動電力は供給されない。つまり、前述したステップＡ４の処理により制御回路２２とＰｏＥ電源回路３０との電力線３１を介した接続が保たれている結果、ＬＡＮチップ回路２１への駆動電力の供給が必要であるにも関わらず、この供給が実行されない。
【００４５】
図５は、本発明の第１の実施形態にしたがったノートＰＣが電源制御処理を行なった際の設定用画面の一例を示す図である。  
そこで、外部機器がＰｏＥに対応していないことが明らかであり、かつ、この外部機器と接続されたＬＡＮケーブル２９をＬＡＮコネクタ２８と接続した場合に、キーボード４に対する予め定められた操作を行なうことで、設定用画面Ｇ１（図５参照）をＬＣＤ５に表示させ、この画面Ｇ１上のＯＫアイコン４１を選択する。すると、チップセット１２は、制御回路２２に対し強制切換信号を出力する。
【００４６】
制御回路２２は、強制切換信号を入力すると（ステップＡ８のＹＥＳ）、電力線３１を介したＰｏＥ電源回路３０との接続を中止する（ステップＡ７）。この結果、ＬＡＮチップ回路２１には、ＰＣシステム電源回路２３がバッテリ２６から得た電力をもとにした駆動電力が供給されるようになる。このような処理を行なうことにより、外部機器がＰｏＥに対応していない場合で、かつ、ＬＡＮコネクタ２８に対するＬＡＮケーブル２９の抜き差しがあった場合でも、ＬＡＮチップ回路２１への駆動電力の供給を維持することができる。
【００４７】
前述したＬＡＮチップ回路２１への駆動電力の供給が中止されると、当該ＬＡＮチップ回路２１を再び正常に動作させるためには、ＬＡＮチップ回路２１に駆動電力を再び供給した上で、当該ＬＡＮチップ回路２１のリセット（初期化）処理を行なう必要がある。
【００４８】
図６は、本発明の第１の実施形態にしたがったノートＰＣによるリセット処理の内容を示すフローチャートである。  
電源スイッチ６を押下してステップＡ１の処理がなされた場合には、ＰＣシステム電源回路２３は、制御回路２２にＢＵＳ−ＲＥＳＥＴ信号を出力する。制御回路２２は、ＢＵＳ−ＲＥＳＥＴ信号を入力する、つまりＢＵＳ−ＲＥＳＥＴ信号がアサート状態となると（ステップＢ１のＹＥＳ）、ＬＡＮ−ＲＥＳＥＴ信号をＬＡＮチップ回路２１に出力する（ステップＢ２）。
【００４９】
ＬＡＮチップ回路２１にＬＡＮ−ＲＥＳＥＴ信号が入力されると、当該ＬＡＮチップ回路２１のリセット処理がなされる。これによりＬＡＮチップ回路２１が動作する。
【００５０】
ここで、外部機器と接続されたＬＡＮケーブル２９をＬＡＮコネクタ２８から取り外して再び接続した場合には、ＬＡＮチップ回路２１のリセット処理を行なう必要が生じるが、この場合にはＰＣシステム電源回路２３からのＢＵＳ−ＲＥＳＥＴ信号、つまり、ＬＡＮ−ＲＥＳＥＴ信号の出力のトリガとなる信号が制御回路２２に入力されないため、前述したリセット処理が行なえない。
【００５１】
そこで、制御回路２２は、ＢＵＳ−ＲＥＳＥＴ信号を入力していない場合、つまり、ＢＵＳ−ＲＥＳＥＴ信号がディアサート状態である場合（ステップＢ１のＮＯ）で、ＰＣシステム電源回路２３からの切換信号“ＢＡＴ”を入力し（ステップＢ３のＮＯ）、かつ、ＰｏＥ電源回路３０からのＰｏＥ−ＯＮ信号を入力していない状態（ステップＢ４のＮＯ）から、ＰｏＥ−ＯＮ信号を入力した状態に遷移した場合（ステップＢ５のＹＥＳ）には、外部機器と接続されたＬＡＮケーブル２９がＬＡＮコネクタ２８と接続された、つまり、ＬＡＮチップ回路２１に外部からの駆動電力が再び供給され、このＬＡＮチップ回路２１を動作させる必要が生じたとみなし、ＬＡＮ−ＲＥＳＥＴ信号をＬＡＮチップ回路２１に出力する（ステップＢ５→Ｂ７）。これにより、電源投入後にＬＡＮコネクタ２８に対するＬＡＮケーブル２９の抜き差しがあった場合でも、ＬＡＮチップ回路２１のリセット処理を行なうことができる。
【００５２】
ところで、ＬＡＮケーブル２９を介してＬＡＮコネクタ２８と接続された外部機器がＰｏＥに対応している場合には、この外部機器を、ＬＡＮケーブル２９を介してＬＡＮコネクタ２８と接続した際にＰｏＥ−ＯＮ信号が制御回路２２に入力されるが、外部機器がＰｏＥに対応していない場合には、ＬＡＮコネクタ２８に対するＬＡＮケーブル２９の抜き差しがあっても、ＰｏＥ−ＯＮ信号は制御回路２２に入力されない。
【００５３】
そこで、制御回路２２は、ステップＢ４の処理で「ＮＯ」と判別された後に、ＰｏＥ−ＯＮ信号を入力していない状態（ステップＢ５のＮＯ）で、かつ、切換信号“ＡＣ”を入力した場合（ステップＢ６のＹＥＳ）には、前述したステップＢ７の処理を行なう。つまり、切換信号の種別の変化をＬＡＮ−ＲＥＳＥＴ信号の出力のトリガとする。これにより、ＬＡＮコネクタ２８に対してＬＡＮケーブル２９を抜き差ししたが、外部機器がＰｏＥに非対応であった場合でも、ＬＡＮチップ回路２１のリセット処理を行なうことができる。
【００５４】
しかしながら、ＰＣシステム電源回路２３からの切換信号の種別の変化は、ＬＡＮコネクタ２８に対するＬＡＮケーブル２９の抜き差しと関連したものではないので、この抜き差しがあったとしても制御回路２２への切換信号の種別が変化するとは限らない。そこで、制御回路２２は、ステップＢ５の処理で「ＮＯ」と判別されて、かつ、切換信号“ＢＡＴ”を入力している場合（ステップＢ６のＮＯ）に前述した強制切換信号を入力すると、ＬＡＮ−ＲＥＳＥＴ信号をＬＡＮチップ回路２１に出力する。これにより、ＬＡＮケーブル２９をＬＡＮコネクタ２８と接続したが、ＬＡＮケーブル２９と接続された外部機器がＰｏＥ非対応であって、かつ、切換信号の種別が“ＢＡＴ”から変化しない場合でも、ＬＡＮチップ回路２１のリセット処理を行なうことができる。
【００５５】
以上説明したように、本発明の第１の実施形態にしたがったノートＰＣでは、電源投入後に、ＡＣ電源からの電力が供給されてなく、バッテリ２６からの電力が供給されている場合で、かつ、ＰｏＥ電源回路３０に電力が供給されている場合には、このＰｏＥ電源回路３０が得た電力をもとに、ＬＡＮチップ回路２１への駆動電力を供給するので、通信機能を維持した状態で、バッテリ駆動時における動作可能時間を延長することができる。
【００５６】
（第２の実施形態）
次に、本発明の第２の実施形態について説明する。なお、本実施形態に係るノートＰＣの外観および内部回路の構成は、図１および図２に示したものと基本的にほぼ同様であるので、同一部分の説明は省略する。
【００５７】
前述した第１の実施形態にしたがったノートＰＣでは、制御回路２２とＰｏＥ電源回路３０との電力線３１を介した接続を行なった後で、ＬＡＮケーブル２９をＬＡＮコネクタ２８から抜いて再び接続した場合、または、制御回路２２とＰｏＥ電源回路３０との電力線３１を介した接続を行なった際に、ＬＡＮケーブル２９がＬＡＮコネクタ２８から抜いた状態から接続した状態に遷移した場合には、ＬＡＮチップ回路２１を再び動作させるために、ＡＣ電源からの電力をＰＣシステム電源回路２３に供給するか、強制切換信号を制御回路２２に入力することで、ＬＡＮ−ＲＥＳＥＴ信号をＬＡＮチップ回路２１に出力していた。
【００５８】
これに対し、第２の実施形態にしたがったノートＰＣでは、ＬＡＮケーブル２９経由で接続される外部機器がＰｏＥに対応していない場合で、ＬＡＮコネクタ２８にＬＡＮケーブル２９が挿された場合に、前述した、ＰＣシステム電源回路２３に供給される電力の種別にしたがった、ＬＡＮチップ回路２１への供給電力の種別の切り換え処理の有無を設定する機能を有する。
【００５９】
図７は、本発明の第２の実施形態にしたがったノートＰＣが電源制御処理を行なった際の設定用画面の一例を示す図である。  
具体的には、ＬＡＮケーブル２９と接続される外部機器がＰｏＥに対応していないことが明らかである場合に、キーボード４に対する予め定められた操作を行なうことで、設定用画面Ｇ２（図７参照）をＬＣＤ５に表示させ、この画面Ｇ２上のＯＫアイコン４２を選択することで、ＰＣシステム電源回路２３に供給される電力の種別にしたがった、ＬＡＮチップ回路２１への供給電力の種別の切り換え処理が無効に設定される。
【００６０】
この設定がなされた場合は、供給電力の切り換えの無効を指示する制御信号がチップセット１２から制御信号２２に出力される。
【００６１】
制御回路２２は、前述した制御信号を入力した場合には、ＰＣシステム電源回路２３に供給される電力が、ＡＣ電源から供給された電力であるか、バッテリ２６から供給された電力であるかに関わらず、ＬＡＮチップ回路２１に供給する電力は、ＰＣシステム電源回路２３に供給された電力とする。
【００６２】
このような処理を行なうことで、外部機器がＰｏＥに対応しておらず、ＬＡＮケーブルの抜き差しがあった場合で、かつ、ＡＣ電源からの電力がＰＣシステム電源回路２３に供給されない場合において、前述した強制切換信号の出力のための操作を行なわずとも、ＬＡＮチップ回路２１への電力供給を正常に行なうことができる。
【００６３】
（第３の実施形態）
次に、本発明の第３の実施形態について説明する。なお、本実施形態にしたがったノートＰＣの外観の構成は図１に示したものと基本的にほぼ同様であるので、同一部分の説明は省略する。
【００６４】
この第３の実施形態にしたがったノートＰＣは、Ｗａｋｅ  ｏｎ  ＬＡＮ機能を有する。Ｗａｋｅ  ｏｎ  ＬＡＮ機能は、ノートＰＣのシステム状態が起動状態以外の予め定められた状態、例えばサスペンド状態にある場合に、ＬＡＮコネクタ２８に挿されたＬＡＮケーブル２９と接続された外部機器からの制御信号の入力にしたがってノートＰＣのシステム状態を起動状態に遷移させる機能である。Ｗａｋｅ  ｏｎ  ＬＡＮ機能を有効とするか否かは、キーボード４に対する予め定められた操作を行なうことで任意に選択することができる。
【００６５】
図８は、本発明の第３の実施形態にしたがったノートＰＣによる、Ｗａｋｅ  ｏｎ  ＬＡＮ機能の設定用画面の一例を示す図である。  
Ｗａｋｅ  ｏｎ  ＬＡＮ機能を有効とする場合には、キーボード４に対する予め定められた操作を行なうことで、設定用画面Ｇ３（図８参照）をＬＣＤ５に表示させ、この画面Ｇ３上の「有効」アイコン４３を選択する。また、Ｗａｋｅ  ｏｎ  ＬＡＮ機能を無効とする場合には、画面Ｇ３上の「無効」アイコン４４を選択する。
【００６６】
この第３の実施形態にしたがったノートＰＣでは、Ｗａｋｅ  ｏｎ  ＬＡＮ機能にかかる動作を行なったことによるバッテリ駆動時の動作可能時間の残り時間の大幅な減少を防ぐことができる。
【００６７】
図９は、本発明の第３の実施形態にしたがったノートＰＣの内部回路の構成例を示すブロック図である。なお、本実施形態に係るノートＰＣの内部回路の構成は、図２に示したものと基本的にほぼ同様であるので、同一部分の説明は省略する。
【００６８】
本発明の第３の実施形態にしたがったノートＰＣは、第１の実施形態にしたがったノートＰＣと異なり、ＰＣシステム電源回路２３はステート信号、および、ＬＡＮ電源制御信号を制御回路２２に出力する。また、ＰｏＥ電源回路３０と制御回路２２の間には、ＰｏＥ−ＯＮ信号を出力するための制御信号線３２を設けない。
【００６９】
ＬＡＮ電源制御信号は、Ｗａｋｅ  ｏｎ  ＬＡＮ機能が有効となっている場合に、ＰＣシステム電源回路２３から制御回路２２に出力される信号である。また、ステート信号は、ノートＰＣのシステム状態を示す情報を含む信号である。具体的には、ステート信号が“Ｓ０”である場合には、システム状態が起動状態であることを示し、ステート信号が“Ｓ３”である場合には、システム状態がサスペンド状態であることを示し、ステート信号が“Ｓ４”である場合には、システム状態がハイバネーション状態であることを示し、ステート信号が“Ｓ５”である場合には、システム状態がシャットダウン状態であることを示す。
【００７０】
サスペンド状態では、ノートＰＣの起動中の制御にかかる情報がメインメモリ１３に保存された上で、メインメモリ１３以外の各デバイスが休止状態となる。また、ハイバネーション状態では、ノートＰＣの起動中の制御にかかる情報がＨＤＤ１５に保存された上で、メインメモリ１３やＨＤＤ１５を含む各デバイスが休止状態となる。
【００７１】
また、Ｗａｋｅ  ｏｎ  ＬＡＮ機能が有効になっている場合には、ノートＰＣのシステム状態がサスペンド状態、ハイバネーション状態、および、シャットダウン状態にある場合でも、ＬＡＮチップ回路２１には、ＰＣシステム電源回路２３が得た駆動電力、またはＰｏＥ電源回路３０が得た駆動電力が供給される。
【００７２】
本発明の第３の実施形態では、Ｗａｋｅ  ｏｎ  ＬＡＮ機能は、ノートＰＣのシステム状態がサスペンド状態、ハイバネーション状態、および、シャットダウン状態のいずれかにある場合に、外部からの指示にしたがってシステム状態を起動状態に遷移させる機能であるとする。
【００７３】
図１０は、本発明の第３の実施形態にしたがったノートＰＣが実行する電源制御処理の内容を示すフローチャートである。  
本発明の第３の実施形態にしたがったノートＰＣが電源制御処理を実行するにあたり、当該ノートＰＣのシステム状態はシャットダウン状態にあり、ＰＣシステム電源回路２３は、ＡＣ電源またはバッテリ２６からの電力を得ることができる状態であると仮定する。
【００７４】
まず、電源スイッチ６が押下されると、これをチップセット１２が検出する。すると、チップセット１２は、制御回路２２を介して、ＰＣシステム電源回路２３に対し、当該ＰＣシステム電源回路２３が得た駆動電力の各デバイスへの供給を指示する。これによりＯＳおよび各種アプリケーションプログラムが起動する（ステップＣ１）。
【００７５】
そして、ＰＣシステム電源回路２３は、ＡＣ電源からの電力の供給の有無を示す信号である切換信号を制御回路２２に出力する。具体的には、ＰＣシステム電源回路２３は、電源プラグ２５および電源コード２４を介してＡＣ電源からの電力を得ている場合には、切換信号“ＡＣ”を制御回路２２に出力する。また、ＰＣシステム電源回路２３は、ＡＣ電源からの電力を得られずにバッテリ２６からの電力を得ている場合には、切換信号“ＢＡＴ”を制御回路２２に出力する。
【００７６】
制御回路２２は、ＰＣシステム電源回路２３からの切換信号の種別を判別することで、ＰＣシステム電源回路２３がＡＣ電源からの電力を得ているか否かを判別する（ステップＣ２）。
【００７７】
制御回路２２は、ＰＣシステム電源回路２３から切換信号“ＢＡＴ”を入力した場合（ステップＣ２のＮＯ）には、制御回路２２はＰＣシステム電源回路２３からのステート信号の種別を判別する（ステップＣ３）。
【００７８】
ステップＣ３の処理の結果、ＰＣシステム電源回路２３から入力したステート信号が“Ｓ３”，“Ｓ４”，または“Ｓ５”である場合には、制御回路２２は、Ｗａｋｅ  ｏｎ  ＬＡＮ機能によるシステム状態の制御を実行できる状態になったとみなし、ＰＣシステム電源回路２３からＬＡＮ電源制御信号を入力しているか否かを判別する（ステップＣ４）。
【００７９】
ステップＣ４の処理の結果「ＹＥＳ」と判別された場合には、制御回路２２は、Ｗａｋｅ  ｏｎ  ＬＡＮ機能が有効であるとみなし、電力線３１を介したＰｏＥ電源回路３０との接続を行なう（ステップＣ５）。
【００８０】
ＰｏＥ電源回路３０には、ＬＡＮコネクタ２８およびＬＡＮケーブル２９を介して接続された外部機器からの電力が常に供給されているものとする。この結果、ＬＡＮチップ回路２１には、ＰｏＥ電源回路３０が外部機器から得た電力をもとにした駆動電力が供給されるようになる。
【００８１】
そして、ステップＣ５の処理後、制御回路２２は、ＰＣシステム電源回路２３からのステート信号の種別を再度判別する（ステップＣ６）。ステップＣ６の処理の結果、ＰＣシステム電源回路２３から入力したステート信号が“Ｓ０”である場合には、制御回路２２は、Ｗａｋｅ  ｏｎ  ＬＡＮ機能によるシステム状態の制御を実行しない状態になったとみなし、電力線３１を介したＰｏＥ電源回路３０との接続を中止する（ステップＣ６→Ｃ１）。この結果、ＬＡＮチップ回路２１には、ＰＣシステム電源回路２３がバッテリ２６からで得た電力をもとにした駆動電力が供給されるようになる。
【００８２】
このような処理を行なうことで、ノートＰＣがバッテリ駆動時で、Ｗａｋｅ  ｏｎ  ＬＡＮ機能が有効であり、かつ、当該ノートＰＣのシステム状態が、サスペンド状態、ハイバネーション状態、および、シャットダウン状態のいずれかにあって、ＬＡＮチップ回路２１に供給される駆動電力はＰｏＥ電源回路３０から供給される駆動電力となり、バッテリ２６から得た駆動電力はＬＡＮチップ回路２１に供給されなくなるので、Ｗａｋｅ  ｏｎ  ＬＡＮ機能にかかる動作を行なったことによるバッテリ駆動時の動作可能時間の残り時間の大幅な減少を防ぐことができる。
【００８３】
なお、ステップＣ２からＣ４までの処理順序は、ノートＰＣがバッテリ駆動であって、制御回路２２に入力されるステート信号の種別が“Ｓ３”，“Ｓ４”，“Ｓ５”のいずれかであって、かつ、ＰＣシステム電源回路２３からＬＡＮ電源制御信号が入力されている場合においてステップＣ５の処理に進むのであれば特に限定されるものではない。
【００８４】
本発明の第３の実施形態にしたがったノートＰＣでは、バッテリ駆動時であって、かつ、Ｗａｋｅ  ｏｎ  ＬＡＮ機能が有効となっている場合に、ＬＡＮチップ回路２１に供給する電力を、ＰＣシステム電源回路２３から供給された駆動電力から、ＰｏＥ電源回路３０から供給された駆動電力に切り換えたが、これに限らず、ノートＰＣのシステム状態が起動状態以外の状態である際にＬＡＮチップ回路２１に駆動電力を供給することで当該ＬＡＮチップ回路２１を動作させる必要がある機能であれば、例えばネットワークマネジメント機能、つまり、ノートＰＣのシステム状態の種別に関わらず、ＬＡＮチップ回路２１が外部との間で通信を行なう機能が有効となっている場合に、ＬＡＮチップ回路２１に供給する電力を、ＰＣシステム電源回路２３から供給された駆動電力から、ＰｏＥ電源回路３０から供給された駆動電力に切り換えるようにしても、前述した省電力の効果を得ることができる。
【００８５】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００８６】
【図１】本発明の第１の実施形態にしたがったノートＰＣの外観の一例を示す図。
【図２】本発明の第１の実施形態にしたがったノートＰＣの内部回路の構成例を示すブロック図。
【図３】本発明の第１の実施形態にしたがったノートＰＣが実行する電源制御処理の内容を示すフローチャート。
【図４】本発明の第１の実施形態にしたがったノートＰＣが電源制御処理を行なった際の制御回路とＰｏＥ電源回路との接続の有無、および、ＬＡＮチップ回路への電力供給の有無を表にして示す図。
【図５】本発明の第１の実施形態にしたがったノートＰＣが電源制御処理を行なった際の設定用画面の一例を示す図。
【図６】本発明の第１の実施形態にしたがったノートＰＣによるリセット処理の内容を示すフローチャート。
【図７】本発明の第２の実施形態にしたがったノートＰＣが電源制御処理を行なった際の設定用画面の一例を示す図。
【図８】本発明の第３の実施形態にしたがったノートＰＣによる、Ｗａｋｅ  ｏｎ  ＬＡＮ機能の設定用画面の一例を示す図。
【図９】本発明の第３の実施形態にしたがったノートＰＣの内部回路の構成例を示すブロック図。
【図１０】本発明の第３の実施形態にしたがったノートＰＣが実行する電源制御処理の内容を示すフローチャート。
【符号の説明】
【００８７】
１…本体ケース、２…表示部ケース、３…ヒンジ部、４…キーボード、５…ＬＣＤ（Ｌｉｑｕｉｄ  Ｃｒｙｓｔａｌ  Ｄｉｓｐｌａｙ：液晶ディスプレイ）、６…電源スイッチ、１１…ＣＰＵ、１２…チップセット、１３…メインメモリ、１４…ＢＩＯＳ−ＲＯＭ、１５…ＨＤＤ（ハードディスクドライブ）、２１…ＬＡＮチップ回路、２２…制御回路、２３…ＰＣシステム電源回路、２４…電源コード、２５…電源プラグ、２６…バッテリ、２７…トランス、２８…ＬＡＮコネクタ、２９…ＬＡＮケーブル、３０…ＰｏＥ電源回路、３１…電力線、３２…制御信号線。
【図１】
2006155372.tif 000003
【図２】
2006155372.tif 000004
【図３】
2006155372.tif 000005
【図４】
2006155372.tif 000006
【図５】
2006155372.tif 000007
【図６】
2006155372.tif 000008
【図７】
2006155372.tif 000009
【図８】
2006155372.tif 000010
【図９】
2006155372.tif 000011
【図１０】
2006155372.tif 000012